(57)【要約】【課題】  両壁面を生物が容易に登坂できるようにし、特に夏期において温度を下げ湿度を上げて生物の生息に適した環境にするだけでなく、吸水・保水機能を付与して流出水量の低減および流出時間の遅延化を図り、洪水発生の防止に寄与できる。【解決手段】  壁面に生物が利用する凹凸２を形成し、材質を植物繊維配合の保水性コンクリートとし、両壁３を外側に向かって開く緩傾斜に形成し、両壁３の天端４を外側に向かって下降する傾斜面に形成した。【選択図】        図１
2005139639.tif 000002
【特許請求の範囲】
【請求項１】
壁面に生物が利用する凹凸を形成し、材質を植物繊維配合の保水性コンクリートとしたことを特徴とするＵ字溝。
【請求項２】
両壁を外側に向かって開く緩傾斜に形成したことを特徴とする請求項１記載のＵ字溝。
【請求項３】
両壁の天端を外側に向かって下降する傾斜面に形成したことを特徴とする請求項１または請求項２に記載のＵ字溝。
【請求項４】
壁面が平滑なＵ字溝に、表面に凹凸が形成され、材質を植物繊維配合の保水性コンクリートとしたパネルを張着したことを特徴とするＵ字溝。
【請求項５】
前記パネルは、目地部に貫通孔を設けたことを特徴とする請求項４記載のＵ字溝。
【請求項６】
前記パネルは、Ｕ字溝の側壁と底板とに対応する分割体の組合わせで構成することを特徴とする請求項４または請求項５に記載のＵ字溝。
【請求項７】
保水性コンクリートの色調を明度５０以下に設定したことを特徴とする請求項１から請求項６のいずれかに記載のＵ字溝。
【発明の詳細な説明】
【技術分野】
【０００１】
この発明は、道路端に敷設する側溝などに使用するＵ字溝に関するものである。
【背景技術】
【０００２】
Ｕ字溝は周知のようにＵ字型の断面を有する鉄筋コンクリート製の建設資材であるが、従来のＵ字溝は両壁が垂直に立ち上がり、壁面が平滑に形成されている。
【０００３】
このため、カエル、カニ、トカゲ、ヘビ、カメ、さらに種々の昆虫などの小動物がこのＵ字溝に入り込んだり、転落したりすると、壁面が垂直で、かつ、表面が平滑なため、滑って登坂できず、衰弱して死に至るか、あるいは、水に流されて生息できなくなり、また、生態系が分断されるなどの問題が指摘されている。
【０００４】
さらに、Ｕ字溝内の空間は、材質であるコンクリートの非保水性という特性によって乾燥状態となり、特に夏期には太陽光線の輻射熱で気温４０〜４５℃の高温、湿度３０％以下の状態になり、また、コンクリートの白灰色による照り返しが強く、生物の生息に適さない環境となる。
【０００５】
そこで、かかる不都合を解消するものとして、例えば、両壁を上開きとなるように角度を設け、流水面に水草が着きやすく、水生昆虫の隠れ家、両生類の足場となる凹凸を設けたＵ字溝が従来、提案されている（例えば、特許文献１参照）。
【特許文献１】特開平１１−１５８９８６号公報
【発明の開示】
【発明が解決しようとする課題】
【０００６】
前記特開平１１−１５８９８６号公報に記載のＵ字溝は、両生類の足がかりとなる凹凸を設けることで、また、両壁を傾斜させることで両生類の登坂を可能なものにしているが、材質が普通コンクリートであるため、特に夏期にはＵ字溝内の空間が乾燥し、かつ、高温状態となって生物の生息には適さない環境となる。
【０００７】
また、吸水・保水の機能を備えないたため、Ｕ字溝を流れる降雨水等の流出時間の到来が早く、流出水量も多く、洪水対策としては十分な機能が発揮できないものであった。
【０００８】
さらに、両壁の天端が水平面に形成されているため、この水平面が地上に顕示し、コンクリートの２本の白いラインとして地上に現れ、周囲の環境にマッチしないものになっている。
【０００９】
この発明の目的は前記従来例の不都合を解消し、両壁面を生物が容易に登坂できるようにするだけでなく、吸水・保水機能を付与して流出水量の低減および流出時間の遅延化を図り、洪水発生の防止に寄与できるＵ字溝を提供することにある。
【課題を解決するための手段】
【００１０】
この発明は前記目的を達成するため、請求項１に記載の発明は、壁面に生物が利用する凹凸を形成し、材質を植物繊維配合の保水性コンクリートとしたことを要旨とする。
【００１１】
請求項１記載の本発明によれば、壁面に凹凸を形成することで生物が登坂する際にこの凹凸を足がかりとすることができ、滑ることを防止できる。また、この凹凸は生物の隠れ場所にもなり、生物の生息に適した環境を創出する。
【００１２】
そして、材質を保水性コンクリートとすることで、特に夏期において、Ｕ字溝内の温度が高温になることを防止するとともに、湿度の低下も防いで乾燥状態となることを防止し、生物の生息に適した環境となる。また、凹凸間の目地等に入って堆積した土や砂が湿潤して基盤となり、植物の生育に適した環境となる。さらに、植物繊維配合のコンクリートの吸水や保水の機能によって洪水発生も防止できる。
【００１３】
請求項２記載の発明は、両壁を外側に向かって開く緩傾斜に形成したことを要旨とする。
【００１４】
請求項２記載の本発明によれば、両側に立ち上がる壁を緩傾斜面としたから、生物が登坂しやすくなり、Ｕ字溝内を生物の生息に適した環境にすることができる。
【００１５】
請求項３に記載の発明は、両壁の天端を外側に向かって下降する傾斜面に形成したことを要旨とする。
【００１６】
請求項３記載の本発明によれば、敷設状態で天端が覆土されるから、この天端の部分が地表に白い２本のラインとして露出せず、周囲の景観を損なうことがないだけでなく、この部分が高温化することによりＵ字溝全体が高温化することを防止できる。
【００１７】
請求項４記載の発明は、壁面が平滑なＵ字溝に、表面に凹凸が形成され、材質を植物繊維配合の保水性コンクリートとしたパネルを張着したことを要旨とする。
【００１８】
請求項４記載の本発明によれば、表面に凹凸が形成され、材質を植物繊維配合の保水性コンクリートとしたものをパネル状に形成したから、これをＵ字溝に張り付けることで、通常の壁面が平滑な既製Ｕ字溝に対しても、内壁面等が凹凸を有するＵ字溝に簡単に変えることができる。よって、請求項１の発明と同様の作用が得られる。
【００１９】
請求項５記載の発明は、前記パネルは、目地部に貫通孔を設けたことを要旨とする。
【００２０】
請求項５記載の本発明によれば、貫通孔を介してパネルとＵ字溝との隙間に水が浸入し、ここに保水されるから、特に夏期にＵ字溝内部が乾燥せず、高温化することを防止でき、生物に対して適した環境を創出できる。また、パネル自体が吸水・保水機能を有するから降雨時に流出水量の低減を図ることができるだけでなく、流出時間の遅延も図れるから、洪水発生の防止に寄与できる。
【００２１】
請求項６記載の発明は、前記パネルは、Ｕ字溝の側壁と底とに対応する分割体の組合わせで構成することを要旨とする。
【００２２】
請求項６記載の本発明によれば、パネルを複数の分割体の組合わせで構成したから、既設のＵ字溝に張り付ける場合、取り扱いが容易で施工性がよいものにできる。
【００２３】
請求項７記載の発明は、保水性コンクリートの色調を明度５０以下に設定したことを要旨とする。
【００２４】
請求項７記載の本発明によれば、色調を明度５０以下にすることで、太陽光からの照り返しを低減でき、その結果、生物の生育・生存を阻害する紫外線を低減させることができる。
【発明の効果】
【００２５】
この発明のＵ字溝は、両壁面を生物が容易に登坂できるようにし、特に夏期において温度を下げ湿度を上げて生物の生息に適した環境にするだけでなく、吸水・保水機能を付与して流出水量の低減および流出時間の遅延化を図り洪水発生の防止に寄与できるものである。
【発明を実施するための最良の形態】
【００２６】
以下、図面についてこの発明の実施の形態を詳細に説明する。図１はこの発明のＵ字溝の第１実施形態を示す斜視図で、この発明のＵ字溝１は内側（内壁面）に生物が足がかりや隠れ場所として使用できる凹凸２を形成した。この凹凸２は、一例として幅２〜３ｃｍ、深さ２〜３ｃｍの深目地２ａを施すもので、目地占有率は内壁面全体の２０％以上とする。
【００２７】
図２はこの発明のＵ字溝の要部を示す斜視図であり、この図は前記凹凸２の他の例を示し、幅２ｍｍ以上の小さな凹凸２を内壁面の全体に施すようにしてもよい。
【００２８】
また、この発明のＵ字溝の第２実施形態として、図３に示すようにＵ字溝１の両側に立ち上がる壁３を従来のような垂直面ではなく、上方に向かって外側に緩やかな傾斜で広がる緩傾斜面に形成した。傾斜角は生物の登坂が容易になるような角度として、例えば水平からの立ち上げ角を６０度としたり、また、第２実施形態の他の例として、図４に示すように水平からの立ち上げ角を４５度とする。なお、水平からの立ち上げ角は両側の壁３で異なってもよい。
【００２９】
Ｕ字溝１の材質としては、植物繊維を配合した保水性コンクリートとする。この保水性コンクリートは、例えば、本出願人が先に提案した特開２００２−１７３３５３号公報に記載の保水性コンクリートを使用するもので、この保水性コンクリートは、単位セメント量（Ｃ）≧４００ｋｇ／ｍ３、水セメント比（Ｗ／Ｃ）＞５５％、スランプ値（練上がり直後）≧４ｃｍ、空気量（練上がり直後）≧４．０％、植物繊維≧３０Ｋｇ／ｍ３、配合強度≧３００Ｋｇｆ／ｃｍ２の配合で粗骨材および細骨材と共に練り混ぜてなるコンクリートであり、このコンクリートが硬化したときには、３５０ｋｇｆ／ｃｍ２以上の圧縮強度、５０Ｋｇｆ／ｃｍ２以上の曲げ強度および１０％以上の吸水率を有する。
【００３０】
そして、この保水性コンクリートは、前記のような構成とすることで、土壌に似た保水機能や動植物生育機能を備えながら、普通コンクリートに近い強度を有するウェットコンクリートとなる。また、保水性コンクリートにはＭｇＯおよびＰ2Ｏ5を主成分とする低ｐＨセメントを使用してもよいこの低ｐＨセメントを使用した植物繊維配合の保水性コンクリートとしては、本出願人が先に提案した特開２００３−２６５０３９号公報に記載の動植物着生用ブロック基材を作るための材料配合例を適用することができる。
【００３１】
さらに、両側の壁３の天端４を従来のような水平面にせず、外側に向かって下降する傾斜面に形成した。
【００３２】
また、Ｕ字溝１の色調を明度５０以下のものに設定した。
【００３３】
かかるＵ字溝１を敷設した場合、壁３は緩傾斜で内側（内壁面）に凹凸２を設けてあるから、Ｕ字溝１内に生息する両生類や昆虫などの小動物が壁面を容易に登坂でき、隠れ場所が形成され、Ｕ字溝１内での生息を可能にするだけでなく、Ｕ字溝１を横断することも可能になるから、生態系が分断されることもない。また、Ｕ字溝１内に誤って転落した生物も自力で登坂することができる。
【００３４】
深目地２ａは、土や砂が入り込み堆積することで、この土や砂が湿潤し植物が養生し生育する基盤となることも期待できる。
【００３５】
Ｕ字溝１の材質を保水性コンクリートとしたことにより、気温３６℃、湿度５０％の夏期の条件において、従来のＵ字溝では表面温度が４０〜４５℃の高温、空間湿度が２０〜３０％になったのに対し、この発明のＵ字溝１では表面温度が３０〜３５℃に低減し、空間湿度が４５〜６５％に上昇した。
【００３６】
また、保水性コンクリートのＵ字溝１は、内壁面の凹凸２により吸水性が向上し、Ｕ字溝１内を流下する雨水の１０％から１５％を低減でき、洪水発生の防止に寄与する。
【００３７】
壁３の天端４を傾斜面に形成することで、敷設状態で天端４が覆土される。よって、天端４が地上に露出せず、土中からの吸水がなされて、この部分の高温化も防止でき、さらに、天端４が２本の白線状となって地上に現れないから、周囲との調和が保たれ景観を損なうことがない。
【００３８】
そして、Ｕ字溝１の色調を明度５０以下に設定することにより、照り返しを低減させ、高温化を防止することができる。これにより、照り返しの光線の中に含まれる紫外線も低減され、生物の生育・生存を阻害する要因が取り除かれる。また、色調が周囲の土地の色彩に近いものになるから、景観が損なわれることもない。Ｕ字溝１の色調を調整する方法の一例として、黒色系や茶色系の色紛（着色材）をセメント量の５重量％程度を限度に適宜添加することがあげられる。
【００３９】
なお、前記凹凸２は壁３の内側（内壁面）だけでなく、外側（外壁面）や天端４にも設けることができる。これにより表面積がさらに拡大して、外側からの水分吸収も行なうことができるので、Ｕ字溝１の吸水性・保水性は一層向上する。
【００４０】
図６はこの発明のＵ字溝１の第３実施形態を示す斜視図である。前記第１、第２実施形態はＵ字溝１自体に凹凸２を形成し、保水性コンクリートで作製したが、この第３実施形態は通常のコンクリート製で壁面に凹凸２を有せず平滑な既製Ｕ字溝９に対しても、これを吸水性・保水性を備えるものに変更できる。すなわち、図７の正面図に示すように、既製Ｕ字溝９とは別体のものとして、表面に凹凸２が形成され、材質を植物繊維配合の保水性コンクリートとしたパネル５を作製する。
【００４１】
そして、このパネル５は、前記のように表面に凹凸２を形成したものであるが、さらに、図７の正面図、図８の側面図に示すように、目地部６に位置させて適宜位置にパネル５の裏面に到達する貫通孔７を形成する。
【００４２】
そして、パネル５の形状は、既製Ｕ字溝９の壁面および天端に合致する外形を有するものとして一体物に作製してもよいが、取り扱いを簡便にするため、図９の分解斜視図に示すように、既製Ｕ字溝９の内側の両側壁面に張設される部分と、底面に張設される部分との分割体５ａ，５ｂ，５ｃの組合わせで構成することができる。
【００４３】
この場合、既製Ｕ字溝９の側壁面に配置される分割体５ａ，５ｂには、上端が既製Ｕ字溝９の天端に当接して載置されるよう略水平部８を形成する。パネル５（分割体）既製Ｕ字溝９の内壁面との間に隙間１０が形成されるように寸法等を調整するとよい（図６参照）。
【００４４】
かかる分割体５ａ〜５ｃを組合わせて既製Ｕ字溝９の内側に配置し、張り付ける。これにより、表面が平滑であった既製Ｕ字溝９の内側面（内壁）は保水性コンクリートとなり凹凸２が形成され、夏期にはこの目地部６や貫通孔７によって保水され、既製Ｕ字溝９内部は乾燥せず、高温化が防止され、生物の生息に対して適した環境が形成される。特に、既製Ｕ字溝９とパネル５（分割体）との隙間１０に水が浸入し、ここに保水されることで保水機能はさらに高まる。また、隙間１０に保水シート等の保水部材を介装させることにより、保水機能のさらなる向上も期待できる。
【００４５】
また、パネル５の部分は前記のように吸水・保水機能を有するから、流出水量の低減が図れるだけでなく、流出時間の遅延も図ることができ、従来の表面が平滑な既製Ｕ字溝９を洪水発生の防止に寄与できるものに容易に変更できる。
【００４６】
なお、パネル５は前記のように３つの分割体で構成するものに限定されるものではなく、図１０の斜視図に示すように、分割体５ｄとして一方の側壁部と底部とを一体のものに形成することもできる。これによれば、施工の手間を軽減でき施工性が向上する。
【図面の簡単な説明】
【００４７】
【図１】この発明のＵ字溝の第１実施形態を示す斜視図である。
【図２】この発明のＵ字溝の要部を示す斜視図である。
【図３】この発明のＵ字溝の第２実施形態を示す斜視図である。
【図４】この発明のＵ字溝の第２実施形態の他の例を示す斜視図である。
【図５】この発明のＵ字溝を敷設した状態の斜視図である。
【図６】この発明のＵ字溝の第３実施形態を示す斜視図である。
【図７】この発明のＵ字溝の第３実施形態を示す要部であるパネルの正面図である。
【図８】この発明のＵ字溝の第３実施形態を示す要部であるパネルの側面図である。
【図９】この発明のＵ字溝の第３実施形態を示す要部であるパネルの分解斜視図である。
【図１０】この発明のＵ字溝の第３実施形態を示す要部であるパネルの他の例を示す斜視図である。
【符号の説明】
【００４８】
１  Ｕ字溝                      ２  凹凸
２ａ  深目地                    ３  壁
４  天端                        ５  パネル
５ａ，５ｂ，５ｃ，５ｄ  分割体  ６  目地部
７  貫通孔                      ８  略水平部
９  既製Ｕ字溝                  １０  隙間    
【図１】
2005139639.tif 000003
【図２】
2005139639.tif 000004
【図３】
2005139639.tif 000005
【図４】
2005139639.tif 000006
【図５】
2005139639.tif 000007
【図６】
2005139639.tif 000008
【図７】
2005139639.tif 000009
【図８】
2005139639.tif 000010
【図９】
2005139639.tif 000011
【図１０】
2005139639.tif 000012